(57)【要約】      （修正有）【課題】昇降路の空間を有効に活用することができる機械室レスエレベータ装置を得る。【解決手段】エレベータ昇降路１内を昇降するかごと、鉛直投影面上、かご及び昇降路壁間に配置され、かごとは逆方向に昇降路内を昇降する釣合い重り５と、鉛直投影面上、かご及び昇降路壁間に設けられ、釣合い重りの直上部に少なくともその一部が配置されるとともに、釣合い重りがその昇降可能範囲の最上部に達した際に、前記一部が釣合い重りの最上部よりも下方に位置する巻上機７とを備える。【選択図】図４
2006151673.tif 000002
【特許請求の範囲】
【請求項１】
エレベータ昇降路内を昇降するかごと、鉛直投影面上、前記かご及び昇降路壁間に配置され、前記かごとは逆方向に前記昇降路内を昇降する釣合い重りと、鉛直投影面上、前記かご及び前記昇降路壁間に設けられ、前記釣合い重りの直上部に少なくともその一部が配置されるとともに、前記釣合い重りがその昇降可能範囲の最上部に達した際に、前記一部が前記釣合い重りの最上部よりも下方に位置する巻上機とを備えたことを特徴とする機械室レスエレベータ装置。
【請求項２】
釣合い重りは、その上部に上方に開口する収容部が形成されるとともに、巻上機は、前記釣合い重りがその昇降可能範囲の最上部に達した際に、前記釣合い重りの前記収容部内に少なくともその一部が配置されることを特徴とする請求項１に記載の機械室レスエレベータ装置。
【請求項３】
巻上機は、釣合い重りがその昇降可能範囲の最上部に達した際に、その全部が前記釣合い重りの最上部よりも下方に位置することを特徴とする請求項１又は請求項２に記載の機械室レスエレベータ装置。
【請求項４】
釣合い重りは、かごとの間に前記釣合い重りが配置された昇降路壁を間に挟んで互いに対向する昇降路壁間に渡って配置されたことを特徴とする請求項１から請求項３の何れかに記載の機械室レスエレベータ装置。
【請求項５】
釣合い重りは、鉛直投影面上、奥側の昇降路壁とかごとの間に配置されたことを特徴とする請求項１から請求項４の何れかに記載の機械室レスエレベータ装置。
【請求項６】
釣合い重りは、昇降路内に立設された一対の釣合い重り用ガイドレールによりその昇降方向が案内されるとともに、その幅は、前記一対の釣合い重り用ガイドレールの設置幅より大きいことを特徴とする請求項１から請求項５の何れかに記載の機械室レスエレベータ装置。
【請求項７】
釣合い重りは、昇降路内に立設された１本の釣合い重り用ガイドレールによりその昇降方向が案内されることを特徴とする請求項１から請求項５の何れかに記載の機械室レスエレベータ装置。
【発明の詳細な説明】
【技術分野】
【０００１】
この発明は、ロープ方式の機械室レスエレベータ装置に関するものである。
【背景技術】
【０００２】
エレベータ機械室に設置されていた巻上機や制御盤等のエレベータ用機器類を昇降路内に配置することによって建築物の空間効率や設置コスト等を改善した従来の機械室レスエレベータ装置には、昇降路の短縮、特にオーバーヘッドの短縮のため、エレベータの釣合い重りと薄型巻上機とを、鉛直投影面上、かごと一側の昇降路壁との間に配置するとともに、前記薄型巻上機を、釣合い重りの昇降可能範囲のさらに上方に配置したものがある（例えば、特許文献１参照）。
【０００３】
【特許文献１】特許第２５９３２８８号公報
【発明の開示】
【発明が解決しようとする課題】
【０００４】
特許文献１記載の機械室レスエレベータ装置は、薄型巻上機が釣合い重りの昇降可能範囲のさらに上方に配置されているため、昇降路頂部、即ち、オーバーヘッドの短縮には限界が生じていた。つまり、釣合い重りの昇降可能範囲の上方には薄型巻上機を設置するための空間が必要であり、それ以上のオーバーヘッドの短縮は不可能であった。また、薄型巻上機の下方には、その上下方向の長さを短縮することができない釣合い重り用ガイドレールが設けられているため、薄型巻上機の大型化が必要となった場合には、薄型巻上機の大きさに合わせて必然的にオーバーヘッドの拡大が必要となってしまう。なお、薄型巻上機が大型化する要因として、永久磁石式同期機を使用する薄型巻上機において永久磁石の使用量を削減し、且つ、必要なトルクを得るために電動機の直径を大きくする場合や、かごの大容量化に伴い、必要トルク増大のために電動機の直径を大きくする場合等が考えられる。
【０００５】
また、上記のようにかごの大容量化を実施した場合、増加したかごの容量に合わせて釣合い重りの重量も増加させる必要がある。しかし、特許文献１に記載されたような従来の機械室レスエレベータ装置では、釣合い重りが奥側の昇降路壁及びかご用ガイドレール間の狭い範囲に配置されているため、釣合い重りの重量を増加させることによって釣合い重りの全長が極端に増大してしまう。かかる場合には、釣合い重りに必要な昇降距離を十分に確保することができず、オーバーヘッドの拡大の必要性が生じ得る。なお、かごの大容量化を実施しない場合でも、かご内の内装変更やエアコンの設置等、かご側の重量が極端に増大する場合には、上記と同様の問題が生じていた。
【０００６】
この発明は、上述のような課題を解決するためになされたもので、その目的は、昇降路の空間を有効に活用し得る機械室レスエレベータ装置を提供することである。
【０００７】
また、巻上機の大型化やかごの大容量化に対して、昇降路内空間の拡大を必要とせずに対応し得る機械室レスエレベータ装置を提供することである。
【課題を解決するための手段】
【０００８】
この発明に係る機械室レスエレベータ装置は、エレベータ昇降路内を昇降するかごと、鉛直投影面上、かご及び昇降路壁間に配置され、かごとは逆方向に昇降路内を昇降する釣合い重りと、鉛直投影面上、かご及び昇降路壁間に設けられ、釣合い重りの直上部に少なくともその一部が配置されるとともに、釣合い重りがその昇降可能範囲の最上部に達した際に、前記一部が釣合い重りの最上部よりも下方に位置する巻上機とを備えたものである。
【発明の効果】
【０００９】
この発明は、エレベータ昇降路内を昇降するかごと、鉛直投影面上、かご及び昇降路壁間に配置され、かごとは逆方向に昇降路内を昇降する釣合い重りと、鉛直投影面上、かご及び昇降路壁間に設けられ、釣合い重りの直上部に少なくともその一部が配置されるとともに、釣合い重りがその昇降可能範囲の最上部に達した際に、前記一部が釣合い重りの最上部よりも下方に位置する巻上機とを備える構成としたことで、昇降路の空間を有効に活用することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１における機械室レスエレベータ装置の平面図、図２はその正面図、図３はその側面図である。図１乃至図３において、エレベータ昇降路１内を昇降するかご２は、その上部両側及び下部両側に設けられたガイドシュー２ａがかご用ガイドレール３にそれぞれ係合することにより、その昇降方向が案内されている。かご２の昇降方向を案内するこのかご用ガイドレール３は、鉛直投影面上、エレベータの乗場出入口４が設けられた昇降路壁１ａを間に挟んで互いに対向する昇降路壁１ｂ及び１ｃとかご２との間に形成された僅かな空間に、互いに対向するようにそれぞれ配置されており、昇降路１の底部から頂部に至るかご２の昇降可能範囲に渡って立設されている。
【００１２】
また、かご２と互いに逆方向に昇降路１内を昇降する釣合い重り５は、鉛直投影面上、乗場出入口４が設けられた昇降路壁１ａに対向する奥側の昇降路壁１ｄとかご２との間に形成された空間に配置されており、その両側端面が昇降路壁１ｂ及び１ｃにそれぞれ僅かな間隙を有して対向する程度に、昇降路壁１ｂ及び１ｃに渡ってその幅いっぱいに設けられている。なお、図１においては、釣合い重り５の幅がかご２の幅よりも大きい場合が示されている。この釣合い重り５は略凹字状を呈しており、その上部中央に、上方に開口する収容部５ａが形成されている。釣合い重り５の上部に形成されたこの収容部５ａは、所定の幅に渡ってその両側部よりも一段低くなった略凹状を呈している。また、釣合い重り５の昇降路壁１ｄ側側面には、両側端面から所定の距離内側となるそれぞれの位置に、横断面が略凹状を呈する溝部５ｂがその上下方向に渡って形成されている。
【００１３】
上記釣合い重り５に形成された各溝部５ｂには、その上下部にガイドシュー５ｃが設けられており、このガイドシュー５ｃが釣合い重り用ガイドレール６にそれぞれ係合することにより、釣合い重り５の昇降方向が案内されている。即ち、釣合い重り５の幅は一対の釣合い重り用ガイドレール６の設置幅より大きく、昇降路壁１ｂ側の釣合い重り用ガイドレール６ａと昇降路壁１ｂとの間、並びに、昇降路壁１ｃ側の釣合い重り用ガイドレール６ｂと昇降路壁１ｃとの間には、釣合い重り５の一部が配置されている。この釣合い重り用ガイドレール６は、鉛直投影面上、その一部又は全部が釣合い重り５の溝部５ｂ内に配置されており、昇降路１の底部から頂部に至る釣合い重り５の昇降可能範囲に渡って、互いに対向するように立設されている。なお、釣合い重り５に設けられたガイドシュー５ｃは、互いに対向する釣合い重り用ガイドレール６に係合するため、その開口部が互いに外側を向くように配置されている。
【００１４】
また、昇降路１の頂部には、鉛直投影面上、奥側の昇降路壁１ｄとかご２との間に、駆動綱車７ａを有するエレベータ用薄型巻上機７と、そらせ車８とが設けられている。この薄型巻上機７は、その一部若しくは全部が釣合い重り５の直上部の釣合い重り用ガイドレール６間に配置されるとともに、釣合い重り５がその昇降可能範囲の最上部に達した際に、釣合い重り５の直上部に配置された部分が釣合い重り５の最上部よりも下方に位置するように配置されている。一方、薄型巻上機７と同様に奥側の昇降路壁１ｄとかご２との間に配置されたそらせ車８は、薄型巻上機７の駆動綱車７ａの斜め下方に設けられており、その外周面に形成された綱溝が駆動綱車７ａの外周面に形成された綱溝と略一直線状となるように配置されている。また、このそらせ車８は、駆動綱車７ａと後述する主索とのトラクションを増加させるため及び駆動綱車７ａに巻き掛けられた主索を上方へ折り返すために設けられており、薄型巻上機７と同様に、その一部若しくは全部が釣合い重り用ガイドレール６の最上部間に配置されている。さらに、昇降路１の最頂部には、かご２の中央部上方及びそらせ車８の上方に、それぞれ返し車９ａ及び９ｂが設けられている。なお、この返し車９ａ及び９ｂは、その外周面に形成された綱溝が略一直線状となるようにそれぞれ配置されている。
【００１５】
かかる構成を有する機械室レスエレベータ装置において、かご２及び釣合い重り５を１対１ローピング方式により釣瓶式に懸吊する主索１０は、その一端部がかご２の中央上部に弾性的に連結されるとともに、昇降路１頂部に配置された返し車９ａ及び９ｂ、釣合い重り用ガイドレール６の最上部間に配置されたそらせ車８及び駆動綱車７ａに順次巻き掛けられ、その他端部が釣合い重り５の収容部５ａの中央部に弾性的に連結されている。なお、主索１０の他端部が釣合い重り５の収容部５ａの底部に連結されているため、釣合い重り５の一部は、釣合い重り５と主索１０との連結部よりも上方に配置されている。
【００１６】
また、図４はこの発明の実施の形態１におけるエレベータ装置の要部詳細図であり、釣合い重り５がその昇降可能範囲の最上部に達した際の各機器類の配置を示したものである。図４において、エレベータのかご２が最下階に停止すると、かご２とは逆方向に昇降路１内を昇降する釣合い重り５は、その昇降可能範囲の最上部に到達する。この時、昇降路１頂部に設けられた薄型巻上機７とそらせ車８とは、それぞれその一部若しくは全部が、釣合い重り５の上部に形成された収容部５ａ内に配置される。即ち、釣合い重り５がその昇降可能範囲の最上部に達した際に、薄型巻上機７の最下部とそらせ車８の最下部とが、釣合い重り５の最上部よりも下方となるように配置されている。なお、釣合い重り５と薄型巻上機７及びそらせ車８との間には、接触事故防止のために所定の間隙がそれぞれ形成されている。また、図１においては、薄型巻上機７のかご２側一部が収容部５ａの外側となるように配置されているが、釣合い重り５を厚くして、その全部が収容部５ａ内に配置されるように構成しても良い。
【００１７】
この発明の実施の形態１によれば、昇降路１頂部に設けられた薄型巻上機７の少なくともその一部は、釣合い重り５がその昇降可能範囲の最上部に達した際に、釣合い重り５の上部に形成された収容部５ａ内に配置されるため、この収容部５ａ内に配置された高さ分、昇降路１の短縮を図ることが可能となる。なお、実施の形態１のように、釣合い重り５がその昇降可能範囲の最上部に達した際に、薄型巻上機７の全部が釣合い重り５の最上部よりも下方に位置するように配置されている場合には、釣合い重り用ガイドレール６の上方に薄型巻上機７のための空間を確保する必要はなく、昇降路１の空間を特に有効に活用することができる。また、釣合い重り５は、その幅が昇降路壁１ｂ及び１ｃ間に渡って幅いっぱいに設けられているため、その上部に収容部５ａが形成されていても、必要な重量を十分に確保することが可能である。なお、釣合い重り５を、鉛直投影面上、かご２と奥側の昇降路壁１ｄとの間に配置しているため、釣合い重り５は、かご用ガイドレール３に干渉されることなく昇降路壁１ｂ及び１ｃ間に渡って配置することが可能となる。
【００１８】
また、かご２の大容量化等に伴い薄型巻上機７の大型化が必要となった場合には、釣合い重り５の上部に形成された収容部５ａを薄型巻上機７の形状に合わせて変更することにより、オーバーヘッドの拡大を要することなく対応することが可能である。また、釣合い重り５は、昇降路１の幅を最大限有効活用しているため、その重量を増加させる必要がある場合でも、上下方向の長さの増加分を最小限に抑えることができる。なお、釣合い重り５に新たな重りを追加する場合には、主索１０との連結部分より上方に新たな重りを設置することにより、釣合い重り５の昇降距離を短縮させることなくその重量のみを増加させることも可能である。
【００１９】
なお、実施の形態１では、釣合い重り５の上部に形成された収容部５ａが略凹状を呈する場合について示されているが、この収容部５ａの上方に設置される薄型巻上機７やそらせ車８の形状に合わせて収納部５ａを形成しても、同様の効果が得られることは言うまでもない。この場合、収容部５ａの上部を略凹状に形成する必要はなく、例えば、釣合い重り５の上部一側の角部を落として巻上機の収容部分を形成しても良い。
【００２０】
実施の形態２．
図５は、この発明の実施の形態２におけるエレベータ装置の要部詳細図であり、釣合い重り１１と、この釣合い重り１１の昇降方向を案内する釣合い重り用ガイドレール１２の構成を示したものである。図５において、エレベータ昇降路１内を昇降する釣合い重り１１は、鉛直投影面上、奥側の昇降路壁１ｄとかご２との間に形成された空間に配置されており、その両側端面が昇降路壁１ｂ及び１ｃにそれぞれ僅かな間隙を有して対向する程度に、昇降路壁１ｂ及び１ｃに渡ってその幅いっぱいに設けられている。この釣合い重り１１は略凹字状を呈しており、その上部中央に、上方に開口する収容部１１ａが形成されている。釣合い重り１１の上部に形成されたこの収容部１１ａは、所定の幅に渡ってその両側部よりも一段低くなった略凹状を呈している。また、釣合い重り１１の昇降路壁１ｄ側側面には、その中央部に、溝部１１ｂが上下方向に渡って形成されている。
【００２１】
上記釣合い重り１１の昇降方向を案内する釣合い重り用ガイドレール１２は、奥側の昇降路壁１ｄ中央部に固定された支持部１２ａと、この支持部１２ａに設けられたレール部１２ｂとから構成されており、このレール部１２ｂが釣合い重り１１の溝部１１ｂに係合することにより、釣合い重り５の水平方向の移動を制限している。また、釣合い重り用ガイドレール１２は、横断面が略π形状を呈しており、昇降路１底部から昇降路１頂部の薄型巻上機７の下方に至る釣合い重り１１中央部の昇降可能範囲に渡って立設されている。なお、実施の形態２における釣合い重り用ガイドレール１２は、実施の形態１とは異なり、１本で釣合い重り５の昇降方向を案内している。
【００２２】
この発明の実施の形態２によれば、釣合い重り１１の溝部１１ｂが昇降路壁１ｄ側側面の中央部にしか形成されていないため、実施の形態１のように溝部５ｂを昇降路壁１ｄ側側面の両側部に形成する場合と比較して、重りの除去部分が少なく、必要重量を容易に確保することが可能となる。即ち、実施の形態１に示した釣合い重り５と同じ重量が必要な場合でも、より高さの低い釣合い重り１１の使用が可能となる。また、釣合い重り用ガイドレール１２を１本しか必要としないため、据付作業性の向上及び据付コストの削減を図ることが可能となる。
【図面の簡単な説明】
【００２３】
【図１】この発明の実施の形態１における機械室レスエレベータ装置の平面図である。
【図２】この発明の実施の形態１における機械室レスエレベータ装置の正面図である。
【図３】この発明の実施の形態１における機械室レスエレベータ装置の側面図である。
【図４】この発明の実施の形態１における機械室レスエレベータ装置の要部詳細図である。
【図５】この発明の実施の形態２における機械室レスエレベータ装置の要部詳細図である。
【符号の説明】
【００２４】
１  昇降路
１ａ、１ｂ、１ｃ、１ｄ  昇降路壁
２  かご
２ａ、５ｃ  ガイドシュー
３  かご用ガイドレール
４  乗場出入口
５、１１  釣合い重り
５ａ、１１ａ  収容部
５ｂ、１１ｂ  溝部
６、６ａ、６ｂ、１２  釣合い重り用ガイドレール
７  薄型巻上機
７ａ  駆動綱車
８  そらせ車
９ａ、９ｂ  返し車
１０  主索
１２ａ  支持部
１２ｂ  レール部
【図１】
2006151673.tif 000003
【図２】
2006151673.tif 000004
【図３】
2006151673.tif 000005
【図４】
2006151673.tif 000006
【図５】
2006151673.tif 000007